(57)【要約】  吸気同期式の流体吐出装置であって、マウスピース（４００）を有する本体（１０）と、容器（１００）と、流体の選択的吐出のために容器に組み付けられる計量弁（２００）の作動が不可能な非作動位置と可能な作動位置の間で移動および／または変形可能な阻止要素（５００）と、吸気制御式のトリガ機構とを備える。トリガ機構の吸気反応部材（６０）は変形および／または移動して、阻止要素を非作動位置から作動位置に向けて移動および／または変形させる。容器上に装着されるアクチュエータ（２０）は、容器底部に装着される近位壁（２２）と、本体（２３）と、近位壁とアクチュエータ本体の遠位壁（２４）の間のバネ（２１）とを含む。アクチュエータ本体は、静止位置とバネが圧縮される準備完了位置の間で、近位壁を囲んで軸方向に摺動し、トリガ機構が作動すると、準備完了位置で圧縮されたバネが、容器を装置本体内で軸方向に移動させて計量弁を作動させる。【選択図】  図１
2021504056.tif 000002
【特許請求の範囲】
【請求項１】
吸気同期式の流体吐出装置であって、
マウスピース（４００）を有する本体（１０）と、
前記本体（１０）の内部で軸方向に摺動するよう装着され、流体および推進用ガスが収容される流体用容器（１００）と、
前記流体を選択的に吐出するために前記容器（１００）に組み付けられ、弁部材（２１０）を含む計量弁（２００）と、
前記計量弁（２００）が作動不可能である非作動位置と前記計量弁（２００）が作動可能である作動位置との間で、移動および／または変形が可能である阻止要素（５００）と、
吸気に反応して変形および／または移動が可能である吸気反応部材（６０）を含む吸気制御式のトリガ機構と
を備え、
前記阻止要素（５００）は、前記非作動位置では、前記本体（１０）および前記容器（１００）と協働して前記容器（１００）が前記本体（１０）の内部を軸方向に移動することを阻止し、
前記吸気反応部材（６０）は、変形および／または移動して、前記阻止要素（５００）を前記非作動位置から前記作動位置に向けて移動および／または変形させ、
前記流体吐出装置は、さらに、
前記容器（１００）の上に装着されるアクチュエータ（２０）を備え、
前記アクチュエータ（２０）は、
好ましくは圧力嵌めによって、前記容器（１００）の底部に装着される近位壁（２２）と、
前記近位壁（２２）を取り囲んで軸方向に摺動する本体（２３）と、
前記近位壁（２２）と前記本体（２３）の遠位壁（２４）との間に配置されるバネ（２１）と
を含み、
前記アクチュエータ（２０）の前記本体（２３）は、静止位置と前記バネ（２１）が圧縮される準備完了位置との間で、前記近位壁（２２）を取り囲んで軸方向に摺動し、前記トリガ機構が作動すると、前記準備完了位置で圧縮された前記バネ（２１）が、前記容器（１００）を前記本体（１０）の内部を軸方向に移動させて前記計量弁（２００）を作動させる
ことを特徴とする流体吐出装置。
【請求項２】
前記阻止要素（５００）は、
好ましくは留め具を用いて、前記容器（１００）に装着される阻止リングであり、
軸方向つまみ（５０１）を、少なくとも１つ、好ましくは３つ有し、
前記軸方向つまみ（５０１）が前記本体（１０）における肩部（７１０）と協働することにより、前記容器（１００）は前記本体（１０）の内部を軸方向に移動することを阻止される
ことを特徴とする請求項１に記載の流体吐出装置。
【請求項３】
前記阻止リングは、前記軸方向つまみ（５０１）が半径方向外側に変形することにより、前記非作動位置から前記作動位置へ向かって移動可能であり、
前記軸方向つまみ（５０１）を前記非作動位置に保持するためのトリガ要素（６００）が設けられる
ことを特徴とする請求項２に記載の流体吐出装置。
【請求項４】
前記トリガ要素（６００）は、前記阻止要素（５００）を前記非作動位置に阻止する阻止位置と、前記阻止要素（５００）を阻止しない解除位置との間を、移動するよう装着される
ことを特徴とする請求項３に記載の流体吐出装置。
【請求項５】
前記トリガ機構の前記吸気反応部材（６０）は、変形可能な膜体を含み、
前記膜体は、
変形可能な空気室を構成し、
前記トリガ要素（６００）に装着され、
吸気中に変形して、前記トリガ要素（６００）を前記阻止位置から前記解除位置に向けて移動させる
ことを特徴とする請求項４に記載の流体吐出装置。
【請求項６】
前記バネ（２１）は、コイルバネである
ことを特徴とする請求項１から５までのいずれか１項に記載の流体吐出装置。
【請求項７】
前記バネ（２１）は、プラスチックバネである
ことを特徴とする請求項１から５までのいずれか１項に記載の流体吐出装置。
【請求項８】
前記バネ（２１）は、発泡要素である
ことを特徴とする請求項１から５までのいずれか１項に記載の流体吐出装置。
【請求項９】
前記アクチュエータ（２０）は、前記アクチュエータ（２０）の前記本体（２３）の両側に、半径方向外側に延在する半径方向フランジ（２５）を含む
ことを特徴とする請求項１から８までのいずれか１項に記載の流体吐出装置。
【請求項１０】
前記アクチュエータ（２０）の前記静止位置は、前記近位壁（２２）の軸方向下縁（２９）と前記アクチュエータ（２０）の前記本体（２３）の半径方向内側に延在する肩部（２６）とが軸方向に当接することにより規定される
ことを特徴とする請求項１から９までのいずれか１項に記載の流体吐出装置。
【請求項１１】
前記アクチュエータ（２０）の前記準備完了位置は、前記アクチュエータ（２０）の前記本体（２３）の軸方向下縁（２７）と前記本体（１０）に設けられる内側スリーブ（８００）の軸方向上縁（８０１）とが軸方向に当接することにより規定される
ことを特徴とする請求項１から１０までのいずれか１項に記載の流体吐出装置。
【発明の詳細な説明】
【技術分野】
【０００１】
本発明は、吸気に同期して吐出を行う吸気同期式の流体吐出装置に関し、特に吸気同期式のエアゾール吸入器に関する。
【背景技術】
【０００２】
呼吸作動型吸入器（Ｂｒｅａｔｈ  Ａｃｔｕａｔｅｄ  Ｉｎｈａｌｅｒ（ＢＡＩ））は従来から公知である。この種の装置では、患者の吸気に流体の吐出を同期させるので、患者の気道に流体を適切に投与できることがその主な利点として挙げられる。そのため、推進用ガスを用いて流体を吐出するエアゾール装置の分野では、多種多様な呼吸作動型吸入器が提案されてきた。しかしながら、このような装置は、部品数が多いために製造および組立が複雑で高価であるという明らかに不利な欠点も有する。また、トリガ閾値を過度に高く設定することなく吸気ごとの吸入を確実にしつつ、偶発的なまたは不所望な作動が生じない程度にラッチを堅牢にすることも、困難である。運悪くラッチが偶発的に解除されると、ユーザの意に反して装置が勝手に作動して流体が吐出されてしまう。
【０００３】
よって、流体を適切に投与するには、装置の作動を自動化することよりも、作動や起動が手動のままでもユーザの吸気に同期して流体を吐出することのほうが重要である。
【０００４】
特許文献１〜４には従来の装置が記載されている。
【先行技術文献】
【特許文献】
【０００５】
【特許文献１】仏国特許出願公開第２７７５６６８号明細書
【特許文献２】国際公開第２０１７／１７８７６４号
【特許文献３】国際公開第２０１７／１７８７６５号
【特許文献４】国際公開第２０１７／１７８７６８号
【発明の概要】
【発明が解決しようとする課題】
【０００６】
これら装置の問題点は、ユーザが加える作動力が強すぎると、具体的には、ユーザが容器の底部に加える軸方向の作動力が強すぎると、装置が故障する危険が生じることである。
【０００７】
本発明の目的は、上述した欠点のない吸気同期式の流体吐出装置を提供することである。
【０００８】
本発明の他の目的は、故障の危険なく吸気のたびに確実に有効な作動を行うことにより動作信頼性が改善された、吸気同期式の流体吐出装置を提供することである。
【０００９】
本発明の他の目的は、偶発的にまたは不所望に作動する危険が最小限に抑えられた、吸気同期式の流体吐出装置を提供することである。
【００１０】
本発明の他の目的は、トリガ閾値を過度に高く設定しないことにより、有病者や高齢者など比較的身体が弱いユーザでも安全かつ確実に使用できる、吸気同期式の流体吐出装置を提供することである。
【００１１】
本発明の他の目的は、製造および組立が容易で安価な吸気同期式の流体吐出装置を提供することである。
【課題を解決するための手段】
【００１２】
よって本発明は、吸気同期式の流体吐出装置であって、マウスピースを有する本体と、前記本体の内部で軸方向に摺動するよう装着され、流体および推進用ガスが収容される流体用容器と、前記流体を選択的に吐出するために前記容器に組み付けられ、弁部材を含む計量弁と、前記計量弁が作動不可能である非作動位置と前記計量弁が作動可能である作動位置との間で、移動および／または変形が可能である阻止要素と、吸気に反応して変形および／または移動が可能である吸気反応部材を含む吸気制御式のトリガ機構とを備える流体吐出装置を提供する。前記阻止要素は、前記非作動位置では、前記本体および前記容器と協働して前記容器が前記本体の内部を軸方向に移動することを阻止する。前記吸気反応部材は、変形および／または移動して、前記阻止要素を前記非作動位置から前記作動位置に向けて移動および／または変形させる。前記流体吐出装置は、さらに、前記容器の上に装着されるアクチュエータを備える。前記アクチュエータは、好ましくは圧力嵌めによって、前記容器の底部に装着される近位壁と、前記近位壁を取り囲んで軸方向に摺動する本体と、前記近位壁と前記本体の遠位壁との間に配置されるバネとを含む。前記アクチュエータの前記本体は、静止位置と前記バネが圧縮される準備完了位置との間で、前記近位壁を取り囲んで軸方向に摺動し、前記トリガ機構が作動すると、前記準備完了位置で圧縮された前記バネが、前記容器を前記本体の内部を軸方向に移動させて前記計量弁を作動させる。
【００１３】
有利には、前記阻止要素は、好ましくは留め具を用いて、前記容器に装着される阻止リングであり、軸方向つまみを、少なくとも１つ、好ましくは３つ有し、前記軸方向つまみが前記本体における肩部と協働することにより、前記容器は前記本体の内部を軸方向に移動することを阻止される。
【００１４】
有利には、前記阻止リングは、前記軸方向つまみが半径方向外側に変形することにより、前記非作動位置から前記作動位置へ向かって移動可能であり、前記軸方向つまみを前記非作動位置に保持するためのトリガ要素が設けられる。
【００１５】
有利には、前記トリガ要素は、前記阻止要素を前記非作動位置に阻止する阻止位置と、前記阻止要素を阻止しない解除位置との間を、移動するよう装着される。
【００１６】
有利には、前記トリガ機構の前記吸気反応部材は、変形可能な膜体を含み、前記膜体は、変形可能な空気室を構成し、前記トリガ要素に装着され、吸気中に変形して、前記トリガ要素を前記阻止位置から前記解除位置に向けて移動させる。
【００１７】
有利には、前記バネは、コイルバネである。
【００１８】
変形例として、前記バネは、プラスチックバネでもよい。
【００１９】
変形例として、前記バネは、発泡要素でもよい。
【００２０】
有利には、前記アクチュエータは、前記アクチュエータの前記本体の両側に、半径方向外側に延在する半径方向フランジを含む。
【００２１】
有利には、前記アクチュエータの前記静止位置は、前記近位壁の軸方向下縁と前記アクチュエータの前記本体の半径方向内側に延在する肩部とが軸方向に当接することにより規定される。
【００２２】
有利には、前記アクチュエータの前記準備完了位置は、前記アクチュエータの前記本体の軸方向下縁と前記本体に設けられる内側スリーブの軸方向上縁とが軸方向に当接することにより規定される。
【図面の簡単な説明】
【００２３】
以下に示す詳細な説明および添付図面は、非限定的な例に基づいて本発明の特徴や利点を明確にするものである。
【図１】待機状態にある流体吐出装置を示す断面図である。
【図２】吸引力が生じる前であって容器が非吐出位置にある流体吐出装置を示す、図１に類似する図である。
【図３】図２の部分Ａを詳細に示す拡大図である。
【図４】図２の部分Ｂを詳細に示す拡大図である。
【図５】吸気後の流体吐出装置を示す、図２に類似する図である。
【図６】容器が吐出位置にある流体吐出装置を示す、図５に類似する図である。
【図７】図１の一部を示す拡大図である。
【図８】図１のアクチュエータの斜視図である。
【図９】図１のアクチュエータの平面図である。
【図１０】図１のアクチュエータの断面図である。
【図１１】変形例を示す、図１０に類似する図である。
【発明を実施するための形態】
【００２４】
以下の説明では、用語「上」、「下」、「上方」および「下方」は、図１に具体的に示す吸入器の位置を表す。また、用語「軸方向」および「半径方向」は、図１に具体的に示す縦中心軸Ｘに対する方向を表す。さらに、用語「近位」および「遠位」は、マウスピースに対する位置を表す。
【００２５】
本発明は、以下に詳述するとおり、エアゾール弁式の経口吸入器に特に適用されるが、経鼻吸入器のような他の種類の吸入器にも適用可能である。
【００２６】
図面には本発明の望ましい実施形態を示すが、以下に説明する構成要素のうちの１つ以上を、類似または同一の機能を提供しつつ何らかの他の方法で実施することが可能である。
【００２７】
図面によれば、吸入器は本体１０を備える。本体１０はマウスピース４００を含む。ユーザが吸入器を使用するには、マウスピース４００の吸入口を介して吸入する。吸入器の保管時には特に、マウスピース４００に取り外し可能な保護キャップ４１０が取り付けられてもよい。ユーザは吸入器の使用時にこの保護キャップを取り外す。図１に保護キャップを示すが、その形状はいかなるものでもよい。
【００２８】
図示のとおり、本体１０の内側には内側スリーブ８００を設けることができる。
【００２９】
本体１０は容器１００を含む。容器１００には、吐出用の流体およびハイドロフルオロアルカン（ＨＦＡ）類のような推進用ガスが収容される。また、容器１００には、流体を選択的に吐出するための計量弁２００が装着される。計量弁２００は弁本体２０１および弁部材２１０を含む。吸入器が作動する間、弁部材２１０は、弁本体２０１ひいては容器１００に対して、軸方向に移動可能である。計量弁２００には任意の適切な種類のものを用いることができる。計量弁２００は、好ましくはクリンプキャップ５である装着要素を用いて、容器１００に装着されてもよい。なお、装着要素と容器１００の間には、ネックガスケット４が挿入されることが好ましい。
【００３０】
有利には、吸入器が作動する間、弁部材２１０は本体１０に対して静止しており、容器１００がその待機位置である遠位位置と近位位置の間を本体１０に対して軸方向に移動する。図示の実施形態では、容器１００は内側スリーブ８００の内部を軸方向に摺動する。
【００３１】
計量弁２００の弁部材２１０の開口は、流路３００を介してマウスピース４００に連通する。ユーザはこのマウスピース４００を介して吐出流体を吸入する。公知技術によれば、弁部材２１０は弁受け７００に受け止められる。弁受け７００には少なくとも部分的に流路３００が含まれる。弁受け７００は、本体１０と一体形成されてもよいし、図示の実施形態のように本体１０に組み付けられる部品でもよい。
【００３２】
本発明によれば、吸入器はアクチュエータ２０を含む。アクチュエータ２０は、好ましくは圧力嵌めによって、容器１００の底部に装着される。アクチュエータ２０はバネ２１を含む。バネ２１は、ユーザがアクチュエータ２０を軸方向に押圧すると圧縮するよう構成され、図１０に具体的に示すような従来のコイルバネを用いることができる。バネ２１の変形例としては、プラスチックバネや図１１に示すような発泡要素を用いることもできる。アクチュエータ２０を用いれば、計量弁２００を作動させる力を保証できる。この作動力は、適切に制御された再現可能な力であり、ユーザが加える作動力とは無関係である。容器１００の軸方向移動ひいては計量弁２００の作動を常に行うのは、圧縮されたバネ２１である。この構成によれば、ユーザが加える作動力が強すぎる場合に生じ得る故障の危険を回避できる。
【００３３】
図１０および図１１に具体的に示すとおり、アクチュエータ２０は、好ましくは圧力嵌めによって、容器１００の底部に装着される近位壁２２と、近位壁２２を取り囲んで軸方向に摺動する本体２３とを含む。近位壁２２と本体２３の遠位壁２４との間には、バネ２１が配置される。本体２３は、図１、図１０および図１１に示す静止位置と図２および図５に示す準備完了位置との間で、近位壁２２を取り囲んで軸方向に摺動する。本体２３が準備完了位置にある間は、バネ２１が最大限に圧縮される。また、本体２３は、準備完了位置と図６に示す作動位置との間を、近位壁２２を取り囲んで軸方向に摺動する。本体２３が作動位置にある間に、バネ２１の力が伝達することにより、容器１００が本体１０の内部を移動して計量弁２００が作動する。
【００３４】
アクチュエータ２０は有利には、本体２３の両側に、半径方向外側に延在する半径方向突起２５を含む。この構成により、ユーザはアクチュエータ２０を軸方向に押圧しやすくなる。ただし当然ながら、半径方向突起２５は必須ではなく、ユーザは本体２３の遠位壁２４を軸方向に押圧することもできる。
【００３５】
図示の実施形態では有利には、アクチュエータ２０の静止位置は、近位壁２２の軸方向下縁２９と本体２３から半径方向内側に延在する肩部２６とが軸方向に当接することにより規定される。また有利には、アクチュエータ２０の準備完了位置は、本体２３の軸方向下縁２７と内側スリーブ８００の軸方向上縁８０１とが軸方向に当接することにより規定される。変形例として、準備完了位置は、本体２３の軸方向下縁２７と本体１０の軸方向上縁とが軸方向に当接することにより規定することもできる。
【００３６】
吸入器は阻止要素５００を備える。阻止要素５００は、計量弁２００の作動に係る非作動位置と作動位置の間で移動および／または変形が可能である。計量弁２００は、阻止要素５００が非作動位置にある間は作動不可能であり、阻止要素５００が作動位置にある間は作動可能である。吸入器が待機状態にあるときは、阻止要素５００は非作動位置にある。ユーザがマウスピース４００を介して吸気すると、阻止要素５００は作動位置に向かって移動および／または変形する。つまり、ユーザが吸気しないかぎり計量弁２００を作動させることはできない。ユーザが吸気したときにのみ、計量弁２００を作動させることができる。
【００３７】
以下にさらに詳述するとおり、阻止要素５００は非作動位置では、容器１００が本体１０の内部を軸方向に移動することを阻止する。ユーザが吸気すると阻止要素５００が移動および／または変形するので、容器１００は本体１０の内部を軸方向に移動可能になる。吸気が完了すると、容器１００の軸方向移動によって計量弁２００が作動する。こうして、吸気に同期して１回分の流体が吐出される。
【００３８】
したがって、ユーザが吸気していないのにもかかわらず吸入器が偶発的にまたは不完全に作動して有効な流体が失われる危険はない。つまり、ユーザが吸気してこれと同時に容器１００が本体１０の内部を移動するときにのみ、計量弁２００が作動して流体の吐出が可能になる。
【００３９】
吸入器は吸気制御式のトリガ機構を備える。ユーザがマウスピース４００を介して吸気すると、トリガ機構は、阻止要素５００を非作動位置から作動位置に向けて移動および／または変形させる。
【００４０】
トリガ機構は、ユーザの吸気に反応して変形および／または移動が可能である吸気反応部材６０を含む。吸気反応部材６０が変形および／または移動すると、阻止要素５００は非作動位置から作動位置に向かって移動および／または変形する。
【００４１】
以下にさらに詳述するとおり、吸気反応部材６０は変形可能な空気室で構成されてもよい。例えば、蛇腹や変形可能な袋を用いることができる。
【００４２】
有利には、阻止要素５００の非作動位置は、本体１０の内部で容器１００の移動が阻止される位置に対応する。ユーザの吸気時のみ移動可能な阻止要素５００によって、容器１００はこの位置で移動を阻止される。
【００４３】
有利には、阻止要素５００は阻止リングで構成される。阻止リングは、半径方向外側に弾性変形可能な軸方向阻止つまみ５０１を、少なくとも１つ、好ましくは３つ有する。阻止リングは、好ましくは留め具を用いて、容器１００に装着される。特に、計量弁２００を容器１００に装着するクリンプキャップ５に対して、阻止リング５００が装着される。吸入器が待機状態にあるときは、軸方向阻止つまみ５０１は弁受け７００の半径方向肩部７１０（図４および図７により明確に示す）に載荷される。半径方向肩部７１０は、好ましくは半径方向外側に向かうに伴って下方に傾斜して、計量弁２００の縦中心軸Ｘと角度ｙをなす。このように構成すれば、吸入器の作動中に容器１００が本体１０の内部を軸方向に摺動するときに、軸方向阻止つまみ５０１は肩部７１０の傾斜面を摺動して半径方向外側に変形する。有利には、角度ｙは２０°より大きく、好ましくは３０°より大きく、当然ながら９０°より小さい。
【００４４】
トリガ要素６００は、阻止位置と解除位置の間で弁受け７００を取り囲んで軸方向に摺動するよう装着される。トリガ要素６００は、阻止位置では阻止要素５００をその非作動位置に阻止し、解除位置では阻止要素５００を阻止しない。具体的には、トリガ要素６００は、阻止位置では軸方向阻止つまみ５０１の半径方向外側への変形を阻止する。よって、トリガ要素６００が阻止位置にある間は、軸方向阻止つまみ５０１は弁受け７００の肩部７１０によって軸方向に阻止されたままとなる。そのため、容器１００の軸方向移動ひいては計量弁２００の作動も阻止される。有利には、図７に示すように、阻止位置において軸方向阻止つまみ５０１と協働するトリガ要素６００の表面６１０は、傾斜して計量弁２００の縦中心軸Ｘと角度ｘをなす。有利には、角度ｘは３０°より小さく、好ましくは１５°より小さい。
【００４５】
要求仕様によれば、角度ｘおよび角度ｙを最適化して吸気制御式のトリガ機構の作動を容易にすることができる。
【００４６】
トリガ要素６００は、吸気制御式のトリガ機構、具体的には吸気反応部材６０に接続される。この構成により、吸気反応部材６０が変形および／または移動すると、トリガ要素６００はその阻止位置から解除位置に向かって移動する。
【００４７】
トリガ要素６００は阻止位置において、有利には、弁受け７００の外側と実質的に気密状態で協働して吸気流の大部分を用いて吸気制御式のトリガ機構を作動させる。トリガ要素６００が阻止位置から解除位置に向かって移動することにより、図５および図６から分かるように弁受け７００を取り囲む空気通路が開放される。この構成によれば、空気の引き込みによる吸気が容易になるので、流体服用の効果を向上させることができる。また、このような空気の引き込みにより、吸入プロセスがユーザにとって一層気楽なものとなる。
【００４８】
有利には、トリガ要素６００は外側スリーブ６５０に装着される。外側スリーブ６５０は、カバーを構成し、本体１０の外側で軸方向に摺動する。カバー６５０は、トリガ要素６００が阻止位置にある間は実質的に開口１３を開放し、トリガ要素６００が解除位置にある間は実質的に開口１３を閉鎖する。吸気の開始時点では開口１３は開放されているので、吸気制御式のトリガ機構、具体的には吸気反応部材６０は、変形時にその外側に吸引力が生じることが回避されることにより、確実に作動できる。このように、吸気によるトリガを最適化できる。ユーザが吸気すると、トリガ要素６００が解除位置に向かって軸方向に移動することにより、計量弁２００を作動させて流体を吐出させることができる。このとき、カバー６５０は開口１３を閉鎖している。
【００４９】
有利には、カバー６５０は外から開閉可能である。このように構成すれば、例えばユーザが流体の服用を必要とするものの十分に吸気できない場合などに、必要に応じて吸気がなくともトリガ要素６００を手動で移動させて計量弁２００を作動させることができる。このようにカバー６５０は安全策である。
【００５０】
有利には、吸気反応部材６０は変形可能な空気室で構成される。有利には、空気室は変形可能な膜体を含む。膜体は、本体１０およびトリガ要素６００に接続される。
【００５１】
ユーザが吸気すると、その吸気で生じる吸引力によって、吸気反応部材６０の変形可能な膜体が変形および／または収縮するので、トリガ要素６００は阻止位置から解除位置に向かって移動する。そうすると、軸方向阻止つまみ５０１が半径方向に変形して阻止要素５００が非作動位置から作動位置に向かって移動する。変形可能な膜体は、図面では袋またはダイヤフラムで構成されるが、蛇腹のような他の構成でもよいことは言うまでもない。
【００５２】
このように、ユーザの吸気中にのみ計量弁２００が作動するので、吸気に同期して１回分の流体が吸入口を介して吐出される。
【００５３】
ユーザが吸入器を使用するには、マウスピース４００を口にくわえて、アクチュエータ２０を手で押圧する。そしてアクチュエータ２０は、図２から分かるように、本体１０に当接するまで、容器１００を取り囲んで静止位置と準備完了位置の間を摺動してバネ２１を圧縮させることができる。圧縮されたバネ２１によって、軸方向の力が近位壁２２を介して容器１００に加えられる。しかしながら、阻止要素５００の軸方向阻止つまみ５０１が弁受け７００の肩部７１０に載荷されているので、容器１００が本体１０の内部を摺動することは阻止される。なお、容器１００は、その摺動を阻止される前に、計量弁２００の作動はできない程度に短ストロークで軸方向に移動してもよい。図１には待機状態にある吸入器を示す。図２には、アクチュエータ２０の準備が完了してからユーザが吸気するまで容器１００の摺動が阻止された状態にある吸入器を示す。
【００５４】
図４から分かるように、ユーザがマウスピース４００を介して吸気すると、吸気反応部材６０が変形して、吸気反応部材６０に装着されたトリガ要素６００が摺動する。トリガ要素６００が弁受け７００を越えて移動するので、阻止要素５００の軸方向阻止つまみ５０１は半径方向への変形が可能になる。アクチュエータ２０のバネ２１が容器１００に伝達する軸方向の力によって、軸方向阻止つまみ５０１は半径方向外側への変形が可能になり肩部７１０を通過する。これにより容器１００が吐出位置に向かって摺動して、計量弁２００が作動する。図６は容器１００が吐出位置にあるときの吸入器を示す。
【００５５】
ユーザが吸気を終えると、トリガ要素６００は吸気反応部材６０の膜体の弾性力によって上方に戻る。必要であれば、カバー６５０を軸方向上方に摺動させることにより、トリガ要素６００を静止位置に手動で戻すこともできる。
【００５６】
ユーザがアクチュエータ２０に対する押圧を解除すると、容器１００は計量弁２００の戻しバネの作用で待機位置に向かって戻る。同時に計量弁２００の弁部材２１０も静止位置に戻るので、弁室が新たな１回分の流体で満たされる。同時にバネ２１の作用でアクチュエータ２０もその静止位置に戻る。このようにして吸入器は以後の使用に備える。
【００５７】
特筆すべきは、アクチュエータ２０を用いれば、ユーザがアクチュエータ２０を押圧する前に吸気しても吸入器を正しく作動できることである。しかしながら、吸気に同期させた流体吐出を最適化するには、ユーザが吸気を開始する時点でアクチュエータ２０が準備完了位置にあることが好ましい。
【００５８】
本発明は、サルブタモール、アクリジニウム、ホルモテロール、チオトロピウム、ブデソニド、フルチカゾン、インダカテロール、グリコピロニウム、サルメテロール、ウメクリジニウム臭化物、ビランテロール、およびオロダテロール（Ｓｔｒｉｖｅｒｄｉ（登録商標））の処方またはこれらの処方の組み合わせにより行われる、喘息発作や慢性閉塞性肺疾患（ＣＯＰＤ）の治療に特に適用される。
【００５９】
本発明について、各種の有利な実施形態に基づいて説明したが、当然ながら当業者は、添付の特許請求の範囲において定義した本発明の範囲を逸脱しない限りにおいて、変形を適用してもよい。
【図１】
2021504056.tif 000003
【図２】
2021504056.tif 000004
【図３】
2021504056.tif 000005
【図４】
2021504056.tif 000006
【図５】
2021504056.tif 000007
【図６】
2021504056.tif 000008
【図７】
2021504056.tif 000009
【図８】
2021504056.tif 000010
【図９】
2021504056.tif 000011
【図１０】
2021504056.tif 000012
【図１１】
2021504056.tif 000013
【国際調査報告】
2021504056.tif 000014
2021504056.tif 000015
2021504056.tif 000016
2021504056.tif 000017
2021504056.tif 000018
2021504056.tif 000019